【手続補正書】
【提出日】平成30年8月17日(2018.8.17)
【手続補正１】
【補正対象書類名】明細書
【補正対象項目名】０００１
【補正方法】変更
【補正の内容】
【０００１】
関連出願への相互参照：
本出願は、ジョン  ソン博士によって２０１４年３月７日に出願された米国特許一部継続出願番号第１４／２００，７８６号、「脊椎圧迫及び伸延装置」の優先権を主張し、且つその内容を組み込むとともに再び述べる。前記出願は、ここにその全体が参照によって組み込まれる。
【手続補正２】
【補正対象書類名】特許請求の範囲
【補正対象項目名】全文
【補正方法】変更
【補正の内容】
【特許請求の範囲】
【請求項１】
第１骨ネジを有する第１の身体構成要素及び第２骨ネジを有する第２の身体構成要素の圧迫又は伸延のための複合ツール装置であって、該装置は、
ａ．  第１の身体構成要素に埋め込まれた第１骨ネジと第２の身体構成要素に埋め込まれた第２骨ネジとを含むと共に、該第１骨ネジと該第２骨ネジの各々は、一つのネジ、一つのカラー、及び一つのネジヘッドを含み、
ｂ．  前記第１骨ネジ及び前記第２骨ネジの少なくとも一つに固定的に据え付けられ、また、該第１骨ネジ及び該第２骨ネジの他方に摺動可能に据え付けられた連結ロッドを含み、
ｃ．  前記第１骨ネジと前記第２骨ネジとの間ではない位置において該第１骨ネジに隣接した位置で前記連結ロッドに取り付けられたロッドホルダーを含むと共に、該ロッドホルダーは、該第１骨ネジの通常進もうとする方向に該ロッドホルダーの長手方向軸線に直交して延びるランプを含み、
ｄ．  前記第１骨ネジに接続されたネジヘッド延長部を含むと共に、該ネジヘッド延長部は、シリンダ（柱体）を規定し、その長手方向軸線に沿って少なくとも１つのスリットを有し、また、その内側の面に少なくとも部分的にネジ山が付けられた、２又はそれ以上のプロングを含み、
ｅ．  ネジ山が付けられた部分を含む調整部材と突出部材とを含むと共に、該突出部材は、該調整部材のネジ山が付けられた部分に関して自在に回転し、該調整部材のネジ山が付けられた部分は、前記ネジヘッド延長部のネジ山が付けられた部分に螺合するように接続し、該ネジヘッド延長部に関して該調整部材を回転させると該突出部材が軸方向に移動するように、該突出部材は、軸方向に前記スリットと相応して移動し、
ｆ．  前記調整手段による１つまたは複数の遠位方向または近位方向への前記突出部材の軸方向調整は、前記ネジヘッド延長部を前記ロッドホルダーから離れるように押し込みながら、かつ、前記第１の身体構成要素と前記第２の身体構成要素とを圧迫しながら、前記ランプの徐々に広がる部分に対して該突出部材を押しつける
装置。
【請求項２】
前記ロッドホルダーが前記連結ロッドに着脱自在に取り付けられている、請求項１に記載の装置。
【請求項３】
第１骨ネジを有する第１の身体構成要素及び第２骨ネジを有する第２の身体構成要素の圧迫又は伸延のための複合ツール装置であって、該装置は、
ａ．  第１の身体構成要素に埋め込まれた第１骨ネジと第２の身体構成要素に埋め込まれた第２骨ネジとを含むと共に、該第１骨ネジと該第２骨ネジの各々は、一つのネジ、一つのカラー、及び一つのネジヘッドを含み、
ｂ．  前記第１骨ネジ及び前記第２骨ネジの少なくとも一つに固定的に据え付けられ、また、該第１骨ネジ及び該第２骨ネジの他方に摺動可能に据え付けられた連結ロッドを含み、
ｃ．  前記第１骨ネジと前記第２骨ネジとの間の位置において該第１骨ネジに隣接して前記連結ロッドに取り付けられたロッドホルダーを含むと共に、該ロッドホルダーは、該第１骨ネジの通常進もうとする方向に該ロッドホルダーの長手方向軸線から直交して延びるランプを含み、
ｄ.   前記第１骨ネジに接続されたネジヘッド延長部を含むと共に、該ネジヘッド延長部は、シリンダ（柱体）を規定し、その長手方向軸線に沿って少なくとも１つのスリットを有し、また、その内側の面に少なくとも部分的にネジ山が付けられた、２又はそれ以上のプロングを含み、
ｅ．  ネジ山が付けられた部分を含む調整部材と突出部材とを含むと共に、該突出部材は、該調整部材のネジ山が付けられた部分に関して自在に回転し、該調整部材のネジ山が付けられた部分は、前記ネジヘッド延長部のネジ山が付けられた部分に螺合するように接続し、該ネジヘッド延長部に関して該調整部材を回転させると該突出部材が軸方向に移動するように、該突出部材は、軸方向に前記スリットと相応して移動し、
ｆ.   前記調整手段による１つまたは複数の遠位方向または近位方向への前記突出部材の軸方向調整は、前記ネジヘッド延長部を前記ロッドホルダーから離れるように押し込みながら、かつ、前記第１の身体構成要素と前記第２の身体構成要素とを伸延しながら、前記ランプの徐々に広がる部分に対して該突出部材を押しつける
装置。
【請求項４】
前記ロッドホルダーが前記連結ロッドに着脱自在に取り付けられている、請求項３に記載の装置。
【請求項５】
第１骨ネジを有する第１の身体構成要素及び第２骨ネジを有する第２の身体構成要素の圧迫又は伸延のための複合ツール装置であって、該装置は、
ａ．  第１の身体構成要素に埋め込まれた第１骨ネジと第２の身体構成要素に埋め込まれた第２骨ネジとを含むと共に、該第１骨ネジと該第２骨ネジの各々は、一つのネジ、一つのカラー、及び一つのネジヘッドを含み、
ｂ．  前記第１骨ネジ及び前記第２骨ネジの少なくとも一つに固定的に据え付けられ、また、該第１骨ネジ及び該第２骨ネジの他方に摺動可能に据え付けられた連結ロッドを含み、
ｃ．  前記第１骨ネジと前記第２骨ネジとの間の位置において該第１骨ネジに隣接して前記連結ロッドに取り付けられたロッドホルダーを含むと共に、該ロッドホルダーは突出部材を含み、該突出部材は、該第１骨ネジの通常進もうとする方向に該ロッドホルダーから通例直交して突き出ており、
ｄ.   前記第１骨ネジに接続されたネジヘッド延長部を含むと共に、該ネジヘッド延長部は、シリンダ（柱体）を規定し、その長手方向軸線に沿って少なくとも１つのスリットを有し、また、その内側の面に少なくとも部分的にネジ山が付けられた、２又はそれ以上のプロングを含み、
ｅ．  ネジ山が付けられた部分を含む調整部材とランプとを含むと共に、該ランプは、該調整部材のネジ山が付けられた部分に関して自在に回転し、該調整部材のネジ山が付けられた部分は、前記ネジヘッド延長部のネジ山が付けられた部分に螺合するように接続し、該ネジヘッド延長部に関して該調整部材を回転させると該ランプ部材が軸方向に移動するように、該ランプは、軸方向に前記スリットと相応して移動し、
ｆ.   前記調整手段による１つまたは複数の遠位方向または近位方向への前記ランプの軸方向調整は、前記ネジヘッド延長部を前記ロッドホルダーから離れるように押し込みながら、かつ、前記第１の身体構成要素と前記第２の身体構成要素とを伸延しながら、該ランプの徐々に広がる部分に対して前記突出部材を押しつける
装置。
【請求項６】
前記ロッドホルダーが前記連結ロッドに着脱自在に取り付けられている、請求項５に記載の装置。
【請求項７】
第１骨ネジを有する第１の身体構成要素及び第２骨ネジを有する第２の身体構成要素の圧迫又は伸延のための複合ツール装置であって、該装置は、
ａ．  第１の身体構成要素に埋め込まれた第１骨ネジと第２の身体構成要素に埋め込まれた第２骨ネジとを含むと共に、該第１骨ネジと該第２骨ネジの各々は、一つのネジ、一つのカラー、及び一つのネジヘッドを含み、
ｂ．  前記第１骨ネジ及び前記第２骨ネジの少なくとも一つに固定的に据え付けられ、また、該第１骨ネジ及び該第２骨ネジの他方に摺動可能に据え付けられた連結ロッドを含み、
ｃ．  前記第１骨ネジと前記第２骨ネジとの間ではない位置において該第１骨ネジに隣接して前記連結ロッドに取り付けられたロッドホルダーを含むと共に、該ロッドホルダーは突出部材を含み、該突出部材は、該第１骨ネジの通常進もうとする方向に該ロッドホルダーから通例直交して突き出ており、
ｄ.   前記第１骨ネジに接続されたネジヘッド延長部を含むと共に、該ネジヘッド延長部は、シリンダ（柱体）を規定し、その長手方向軸線に沿って少なくとも１つのスリットを有し、また、その内側の面に少なくとも部分的にネジ山が付けられた、２又はそれ以上のプロングを含み、
ｅ．  ネジ山が付けられた部分を含む調整部材とランプとを含むと共に、該ランプは、該調整部材のネジ山が付けられた部分に関して自在に回転し、該調整部材のネジ山が付けられた部分は、前記ネジヘッド延長部のネジ山が付けられた部分に螺合するように接続し、該ネジヘッド延長部に関して該調整部材を回転させると該ランプ部材が軸方向に移動するように、該ランプは、軸方向に前記スリットと相応して移動し、
ｆ．  前記調整手段による１つまたは複数の遠位方向または近位方向への前記ランプの軸方向調整は、前記ネジヘッド延長部を前記ロッドホルダーから離れるように押し込みながら、かつ、前記第１の身体構成要素と前記第２の身体構成要素とを圧迫しながら、該ランプの徐々に広がる部分に対して前記突出部材を押しつける
装置。
【請求項８】
前記ロッドホルダーが前記連結ロッドに着脱自在に取り付けられている、請求項７に記載の装置。
【請求項９】
第１骨ネジを有する第１の身体構成要素及び第２骨ネジを有する第２の身体構成要素の圧迫又は伸延のための複合ツール装置であって、該装置は、
ａ．  第１の身体構成要素に埋め込まれた第１骨ネジと第２の身体構成要素に埋め込まれた第２骨ネジとを含むと共に、該第１骨ネジと該第２骨ネジの各々は、一つのネジ、一つのカラー、及び一つのネジヘッドを含み、
ｂ．  前記第１骨ネジ及び前記第２骨ネジの少なくとも一つに固定的に据え付けられ、また、該第１骨ネジ及び該第２骨ネジの他方に摺動可能に据え付けられた連結ロッドを含み、
ｃ．  前記第１骨ネジと前記第２骨ネジとの間ではない位置において該第１骨ネジに隣接した位置で前記連結ロッドに取り付けられたロッドホルダーを含むと共に、該ロッドホルダーは、ランプを有する軸方向に調整可能な突出部材を含み、該ランプは、該第１骨ネジヘッド延長部の通常進もうとする方向に該ロッドホルダーの長手方向軸線に通例直交して突き出ており、
ｄ．  前記第１骨ネジに接続された第１ネジヘッド延長部を含むと共に、該第１ネジヘッド延長部は、シリンダ（柱体）を規定し、その長手方向軸線に沿って少なくとも１つのスリットを有する２又はそれ以上のプロングを含み、
ｅ．  １つまたは複数の遠位方向または近位方向への前記突出部材の調整は、前記第１ネジヘッド延長部を前記ロッドホルダーから離れるように押し込みながら、かつ、前記第１の身体構成要素と前記第２の身体構成要素とを圧迫しながら、該第１ネジヘッド延長部に対して前記ランプの徐々に広がる部分を押しつける
装置。
【請求項１０】
前記ロッドホルダーが前記連結ロッドに着脱自在に取り付けられている、請求項９に記載の装置。
【請求項１１】
第１骨ネジを有する第１の身体構成要素及び第２骨ネジを有する第２の身体構成要素の圧迫又は伸延のための複合ツール装置であって、該装置は、
ａ．  第１の身体構成要素に埋め込まれた第１骨ネジと第２の身体構成要素に埋め込まれた第２骨ネジとを含むと共に、該第１骨ネジと該第２骨ネジの各々は、一つのネジ、一つのカラー、及び一つのネジヘッドを含み、
ｂ．  前記第１骨ネジ及び前記第２骨ネジの少なくとも一つに固定的に据え付けられ、また、該第１骨ネジ及び該第２骨ネジの他方に摺動可能に据え付けられた連結ロッドを含み、
ｃ．  前記第１骨ネジと前記第２骨ネジとの間の位置において該第１骨ネジに隣接した前記連結ロッドに取り付けられたロッドホルダーを含むと共に、該ロッドホルダーは、ランプを有する軸方向に調整可能な突出部材を含み、該ランプは、該第１骨ネジヘッド延長部の通常進もうとする方向に該ロッドホルダーの長手方向軸線に通例直交して突き出ており、
ｄ．  前記第１骨ネジに接続された第１ネジヘッド延長部を含むと共に、該第１ネジヘッド延長部は、シリンダ（柱体）を規定し、その長手方向軸線に沿って少なくとも１つのスリットを有する２又はそれ以上のプロングを含み、
ｅ．  １つまたは複数の遠位方向または近位方向への前記突出部材の調整は、前記第１ネジヘッド延長部を前記ロッドホルダーから離れるように押し込みながら、かつ、前記第１の身体構成要素と前記第２の身体構成要素とを伸延しながら、該第１ネジヘッド延長部に対して該突出部材の徐々に広がる部分を押しつける
装置。
【請求項１２】
前記ロッドホルダーが前記連結ロッドに着脱自在に取り付けられている、請求項１１に記載の装置。